(57)【特許請求の範囲】
【請求項１】
合成物質の成形部分から成る１つの底部（２）と、垂直に延在する縁部において互いに結合された四角形の４つの側壁（３）と、１つの台架底部（１３）とを有し、底部（２）が、下に向かって形成された凹部（６）を足部（５）として備え、これらの足部の間に、フォークリフトのリフトフォークに係合させるための場所が存在し、底部（２）の側壁部（７）に沿って、それぞれの凹部（６）を接続する溝（８）が延在し、側壁（３）が、垂直に延在する前記縁部と、向かい合って位置する一対の側壁（３）に設けられた垂直な折れ線（１２）とにおいて折畳み可能であり、選択的に下に向かって凹部（６）内へと突出する部分を備えることのできる真直ぐな下縁部を備え、溝（８）及び凹部（６）内へと差し込み可能で、溝（８）及び凹部（６）によって支持可能である、折畳み可能な容器（１）において、
台架底部（１３）が、１つのフラップ部分又は複数のフラップ部分（１４）として形成されていること、
フラップ部分（１４）が、側壁と同じ材料又は側壁と同等の材料から成り、かつ設けられた折れ線（１５）によって仕切られた縁部ストライプ（１６）を備え、この縁部ストライプが、底部（２）の溝（８）の深さに等しい幅を備え、折れ線（１２）を備えていない側壁（３）の下縁部に固定されており、これにより、フラップ部分（１４）に負荷される充填物の重量により、４つの壁（１３）が、縁部ストライプ（１６）と共に、下に向かって溝（８）及び凹部（１６）内へと押圧されること
を特徴とする容器。
【請求項２】
共に台架底部（１３）を形成する２つのフラップ部分（１４）が、折れ線（１２）を備えていない向かい合って位置する２つの側壁（３）に取り付けられていることを特徴とする請求項１に記載の容器。
【請求項３】
折畳み可能な１つのフラップ部分が、折れ線（１２）を備えていない１つの側壁（３）に取り付けられていることを特徴とする請求項１に記載の容器。
【請求項４】
材料ストライプ（１６）が、側壁（３）に接着又は溶接されていることを特徴とする請求項１〜３のいずれか１つに記載の容器。
【請求項５】
底部（２）の側壁部（７）に、少なくとも底部（２）の角部に位置する凹部（６）内へと突出する段部又は棚部（９）が、容器（１）の側壁（３）のための支持部として形成されていることを特徴とする請求項１〜４のいずれか１つに記載の容器。
【請求項６】
真直ぐな下縁部を有する側壁（３）のために、段部又は棚部（９）が、溝（８）の底と同じ高さの支持面（１０）を備えることを特徴とする請求項５に記載の容器。
【請求項７】
容器（１）が折り畳まれた状態で、側壁（３）上へと載置可能な、側壁を上で取り囲むカバー（４）と、容器（１）の側壁（３）の外側の底部（２）の縁部に形成されたカバー（４）のための座（１１）とが設けられていることを特徴とする請求項１〜６のいずれか１つに記載の容器。
【請求項８】
座が、中断することなく取り巻く、底部（２）の側壁部（７）の内側の段部（１１）から成ることを特徴とする請求項７に記載の容器。
【発明の詳細な説明】
【０００１】
本発明は、合成物質の成形部分から成る１つの底部と、垂直に延在する縁部において互いに結合された四角形の４つの側壁と、１つの台架底部とを有し、底部が、下に向かって形成された凹部を足部として備え、これらの足部の間に、フォークリフトのリフトフォークに係合させるための場所が存在し、底部の側壁部に沿って、それぞれの凹部を接続する溝が延在し、側壁が、垂直に延在する前記縁部と、向かい合って位置する一対の側壁に設けられた垂直な折れ線とにおいて折畳み可能であり、選択的に下に向かって凹部内へと突出する部分を備えることのできる真直ぐな下縁部を備え、溝及び凹部内へと差し込み可能で、溝及び凹部によって支持可能である、折畳み可能な容器に関する。
【０００２】
このような容器は、台架底部のないものが、独国実用新案登録明細書第９４  １３  ５１８号から公知である。同様に公知のこの容器の利用に際しては、台架底部が、通常はこの容器に付属し、更にカバーが付属する。
容器が折り畳まれた状態では、側壁が、底部の溝及び凹部から取り除かれ、平坦に折り畳まれており、上記の構成が利用される際には、小さい方の側壁が、その中心に設けられた折れ線に沿って折り曲げることができ、従って、平坦に折り畳まれた形では、更に大きい方の側壁の寸法だけが残っている。
その際、これらの部分は、容器の底面の平坦なパッケージへと折り畳むことができる。比較的多くの数の空にされた容器が戻されるところでは、利用状態の形で放置された容器も、他の容器の折り畳まれた側壁及び台架底部で満たすことができ、これらの容器の底部及びカバーは、それぞれ重ねてまとめられる。
【０００３】
本発明の基本に置かれる課題は、容器の処理を簡略化することにある。
【０００４】
本発明によれば、この目的は、台架底部が、１つのフラップ部分又は複数のフラップ部分として形成されていること、フラップ部分が、側壁と同じ材料又は側壁と同等の材料から成り、かつ設けられた折れ線によって仕切られた縁部ストライプを備え、この縁部ストライプが、底部の溝の深さに等しい幅を備え、折れ線を備えていない側壁の下縁部に固定されており、これにより、フラップ部分に負荷される充填物の重量により、４つの壁が、縁部ストライプと共に、下に向かって溝及び凹部内へと押圧されることによって満足される。
【０００５】
従って、部分の数は、１つの部分だけ少なくなる。台架底部と結合された作動は、折り畳む際には１つのフラップ部分もしくは複数のフラップ部分が１つの側壁もしくは複数の側壁に対して閉じることを、また容器を積み重ねる際には開くことを制限する。
同時に、充填された状態の容器は著しく安定化される。充填物は、１つもしくは複数のフラップ部分に負荷されるその重量でもって、４つの側壁を下に向かって底部の溝及び凹部内へと押圧する。容器を、側壁に対して横方向の力を加えることによって移動させるべき場合も、側壁は、一方の側で、底部の溝及び凹部から倒れて出ることはない。
【０００６】
本発明の優れた形態によれば、共に台架底部を形成する２つのフラップ部分が、折れ線を備えていない向かい合って位置する２つの側壁に取り付けられている。
しかしながらまた場合によっては、寸法関係に応じて、全台架底部が、ただ１つのフラップ部分として、折れ線を備えていない側壁の１つに取り付けられていることも可能である。
【０００７】
本発明の別の形態は、折畳み可能な台架底部が、ただ１つのフラップ部分として、折れ線を備えていない１つの側壁に取り付けられていることにある。
【０００８】
通常は、フラップ部分が、側壁と同じ材料又は側壁と同等の材料から成り、かつ設けられた折れ線によって仕切られた縁部ストライプを備え、折れ線を備えていない側壁の下縁部に固定、特に接着又は溶接されている。
【０００９】
この形態は、特に簡単で有効である。この形態は、固定のための溝の部分を利用する。折れ線は、フラップ部分が十分に底部の支持表面上へと載るように折れ線が使用されるよう、真直ぐに位置する。
【００１０】
本発明の有利な形態に使用することができる更なる構成は、後続の実施例の説明に記載されている。
【００１１】
図面は、実施例を再現する。
【００１２】
１で指示された容器は、底部２、垂直な縁部において結合された強いダンボール紙から成る４つの側壁３、合成物質又は同等の材料から成る中空チャンバプレート及びカバー４から成る。
【００１３】
底部２は、４つの角部並びに側面手段に、複数の足部５を、並びに１つの足部をその中心に、備えている。これらの足部５は、底部２の凹部として形成されており、この凹部は６で指示されている。凹部６の間には、底部２の側壁部７に沿って溝８が延在する。
側壁部７には、凹部６の領域内に、棚部９が円錐部分の形に形成されている。棚部９の支持面１０は、溝８の底と同じ高さに位置する。
【００１４】
側壁３は、底部２の溝８及び凹部６内へと差し込まれる。その際、溝８内では、側壁が溝底上に位置し、凹部６内では、側壁が棚部９上に位置する。
【００１５】
カバーは、カバーが側壁３を上部で取り囲むように、また、別の容器１が、底部２をその上に載せることができ、位置ズレに対して保証されているように形成されている。
【００１６】
底部２は、カバー４のための座を、側壁部７の縁部に沿った段部１１の形で備える。
図２から認めることができるように、この座は、容器の側壁３の外側に位置し、従って、カバー４は、図２においては左側に破線で明らかにしているように、側壁３を上で取り囲むことができる。
【００１７】
容器１の側壁３は、小さい方の２つの側壁３が、その中心に設けられた折れ線１２に沿って折り曲げられるという様式で折り畳むことができる。
【００１８】
図２により折り畳まれた状態では、折り畳まれた側壁３は、底部２とカバー４との間の場所に存在する。大きいほうの２つの側壁３には、側壁と同じ材料から成る台架底部１３が、それぞれ１つの台架底部１３の半体を形成する２つのフラップ部分１４の形態で取り付けられている。これらのフラップ部分は、設けられた折れ線１５によって仕切られた縁部ストライプ１６を備え、この縁部ストライプは、側壁３の下縁部に沿ってこの側壁に当接し、この側壁と接着されている。縁部ストライプ１６の幅は、溝８の深さにほぼ等しく、従って、折れ線１５は、底部２の支持表面１７の高さに位置し、フラップ部分１４は、十分に支持表面の上に位置するようになる。
折り畳まれた状態では、フラップ部分が、側壁３に当接する。
【図面の簡単な説明】
【図１】  容器を、アイソメトリックの分解図に示す。
【図２】  折り畳まれた状態の容器を垂直断面図に示す。
【符号の説明】
１            容器
２            底部
３            側壁
４            カバー
５            足部
６            凹部
７            側壁部
８            溝
９            棚部
１０          棚部の支持面
１１          段部
１２          折れ線
１３          台架底部
１４          フラップ部分
１５          折れ線
１６          縁部ストライプ
１７          支持表面
【図１】
0004817578.tif 000002
【図２】
0004817578.tif 000003